(57)【要約】【課題】壁面から突出した引掛具に靴を逆さ向きに掛けて効率的に乾かすことができる挿入孔付き靴を提供する。【解決手段】挿入孔付き靴１０は、使用者が歩行に際し接地する靴底面を有するソール部３０、およびソール部３０の上部に位置して使用者の足を包むように形成されるアッパー部２０からなる靴と、ソール部３０の側面に少なくとも一つの開口部１１０を有し、開口部１１０からソール部３０の内部に向かって延びる挿入孔１００と、を備える。挿入孔１００は、ソール部３０を貫通してもよい。【選択図】図１
0003193892.tif 000002
【実用新案登録請求の範囲】
【請求項１】
使用者が歩行に際し接地する靴底面を有するソール部、および前記ソール部の上部に位置して前記使用者の足を包むように形成されるアッパー部からなる靴と、
前記ソール部の側面に少なくとも一つの開口部を有し、当該開口部から前記ソール部の内部に向かって延びる挿入孔と、
を備えることを特徴とする挿入孔付き靴。
【請求項２】
前記開口部が、複数の異なる高さを有することを特徴とする請求項１に記載の挿入孔付き靴。
【請求項３】
前記挿入孔には、壁面から突出した引掛具が挿入され、
前記挿入孔の内壁または前記開口部が、前記引掛具が当該挿入孔から抜け落ちることを防止する抜落防止弁を少なくとも一つ備えることを特徴とする請求項１または請求項２に記載の挿入孔付き靴。
【請求項４】
前記挿入孔の内壁が、凹凸を備えることを特徴とする請求項１または請求項２に記載の挿入孔付き靴。
【請求項５】
前記挿入孔が、前記ソール部を貫通することを特徴とする請求項１から請求項４のいずれかに記載の挿入孔付き靴。
【請求項６】
前記靴が、長靴であることを特徴とする請求項１から請求項５のいずれかに記載の挿入孔付き靴。
【考案の詳細な説明】
【技術分野】
【０００１】
本発明は、壁等から突出した引掛具に掛けることができる挿入孔付き靴に関する。
【背景技術】
【０００２】
従来から、靴、特に長靴において、洗濯した後や雨天の使用等によって、靴の内部に溜まってしまった水滴を効率的に乾かすためのハンガーが提案されてきている。例えば、靴やブーツ等をその外側から挟着保持する靴用ハンガー、具体的には、底面を上側にした靴の靴底と側革との境界付近を踵部側から靴の先端方向に向かって挟着保持するとともに、靴底を挟着抱持するようにした靴用ハンガーが提案されている（例えば、特許文献１参照）。また、逆さ向きにした靴外側の甲部と踵部の二箇所を段違い平行棒の形態で支持することによりズック、スニーカー、長靴等、形状の異なる様々な靴類を干すことができる靴干しハンガーが提案されている（例えば、特許文献２参照）。
【先行技術文献】
【特許文献】
【０００３】
【特許文献１】特開２００４−２０２０７６号公報
【特許文献２】特開２０１２−１３９４４３号公報
【考案の概要】
【考案が解決しようとする課題】
【０００４】
しかしながら、靴を逆さ向きに吊るためには、特許文献１および２で提案されているハンガーを靴とは別に用意しなければ、靴を逆さ向きにして干したい場合であっても干すことができないことがあるという問題点があった。
【０００５】
そこで、上記課題に鑑みて、本考案では、ハンガーを用意しなくても、壁面から突出した引掛具に靴を逆さ向きに掛けて効率的に乾かすことができる挿入孔付き靴を提供することを目的とする。
【課題を解決するための手段】
【０００６】
本考案は、上記の課題を解決するために、以下の事項を提案している。なお、理解を容易にするために、本考案の実施形態に対応する符号を付して説明するが、これに限定されるものではない。
【０００７】
（１）  本考案は、使用者が歩行に際し接地する靴底面を有するソール部（３０）、および前記ソール部の上部に位置して前記使用者の足を包むように形成されるアッパー部（２０）からなる靴と、前記ソール部の側面に少なくとも一つの開口部（１１０）を有し、当該開口部から前記ソール部の内部に向かって延びる挿入孔（１００）と、を備えることを特徴とする挿入孔付き靴を提案している。
【０００８】
この考案によれば、壁面から突出した引掛具を挿入孔に挿入することにより、靴を逆さ向きに掛けて効率的に乾かすことができる。
【０００９】
（２）  本考案は、（１）の挿入孔付き靴について、前記開口部が、複数の異なる高さを有することを特徴とする挿入孔付き靴を提案している。
【００１０】
この考案によれば、様々な太さの引掛具に、靴を掛けることができる。
【００１１】
（３）  本考案は、（１）または（２）の挿入孔付き靴について、前記挿入孔には、壁面から突出した引掛具が挿入され、前記挿入孔の内壁または前記開口部が、前記引掛具が当該挿入孔から抜け落ちることを防止する抜落防止弁（１４０）を少なくとも一つ備えることを特徴とする挿入孔付き靴を提案している。
【００１２】
この考案によれば、抜落防止弁によって、引掛具と挿入孔との隙間をなくし、引掛具が挿入孔から抜け落ちることを防止する。
【００１３】
（４）  本考案は、（１）または（２）の挿入孔付き靴について、前記挿入孔の内壁が、凹凸（１５０）を備えることを特徴とする挿入孔付き靴を提案している。
【００１４】
この考案によれば、挿入孔の内壁の凹凸に引掛具の先端が入り込むことにより、引掛具が挿入孔から抜け落ちることを防止することができる。
【００１５】
（５）  本考案は、（１）から（４）の挿入孔付き靴について、前記挿入孔が、前記ソール部を貫通することを特徴とする挿入孔付き靴を提案している。
【００１６】
この考案によれば、貫通していることにより、挿入孔にゴミが詰まることを防ぐことができる。
【００１７】
（６）  本考案は、（１）から（５）の挿入孔付き靴について、前記靴が、長靴であることを特徴とする挿入孔付き靴を提案している。
【００１８】
この考案によれば、靴を長靴とすることができる。
【考案の効果】
【００１９】
本考案によれば、壁等から突出した引掛具に靴を逆さ向きに掛けて効率的に乾かすことができる。
【図面の簡単な説明】
【００２０】
【図１】本実施形態に係る挿入孔付き靴の斜視図である。
【図２】本実施形態に係る挿入孔付き靴の使用状態を示す斜視図である。
【図３】本実施形態に係る挿入孔付き靴かかと部の断面図である。
【図４】本実施形態に係る挿入孔付き靴の開口部の形状を示す図である。
【図５】実施形態に係る挿入孔付き靴の挿入孔内壁の断面図である。
【考案を実施するための形態】
【００２１】
以下、図面を用いて、本考案の実施形態について詳細に説明する。なお、本考案形態における構成要素は適宜、既存の構成要素等との置き換えが可能であり、また、他の既存の構成要素との組み合わせを含む様々なバリエーションが可能である。したがって、本実施形態の記載をもって、実用新案登録請求の範囲に記載された考案の内容を限定するものではない。
【００２２】
本実施形態に係る挿入孔付き靴について、図１〜図５を用いて説明する。なお、図３（ａ）は、ＡＡ‘断面であり、図３（ｂ）は、ＢＢ‘断面である。
【００２３】
本実施形態に係る挿入孔付き靴１０は、アッパー部２０、ソール部３０、および挿入孔１００を備える。
【００２４】
アッパー部２０は、ソール部３０の上部に位置して使用者の足を包むように形成されている。ソール部３０は、使用者が歩行に際し接地する靴底面を有する。ソール部３０の全体または後方部は、ある程度の厚み、すなわち、挿入孔１００の高さ以上の厚みを有する。本実施例において、挿入孔付き靴１０を長靴とするが、スニーカーやサンダルであってもよい。
【００２５】
挿入孔１００は、ソール部の外部から内部に向けて延在し、開口部１１０と筒状部１２０とを有する。挿入孔１００は、ソール部３０に複数設けられてもよい。
【００２６】
開口部１１０は、本実施形態において、ソール部３０の後方側面に備えられているが、ソール部３０の側面のいずれかに備えられればよい。
【００２７】
筒状部１２０は、本実施形態において、有底であるが、開口部１１０が設けられていないソール部３０の側面やソール部３０の底面まで、貫通していてもよい。また、筒状部１２０は、本実施形態において、直線状であるが、Ｌ字状、曲線状等様々な形状を取ることができ、また、同一径でなくてもよく、ソール部３０の中心に向かって縮径されていてもよい。更に、筒状部１２０は、地面と水平に設けられてもよいし、アッパー部２０に向かって傾斜していてもよい。アッパー部２０に向かって傾斜することにより、挿入孔付き靴１０を引掛具に逆向きに掛けた際に、かかと部よりつま先部が上に上がり、つま先部内部の水をスムーズに排出させることができる。
【００２８】
図２に示すように、壁面１から突出した引掛具２を挿入孔１００に挿入することで、挿入孔付き靴１０は、ハンガー等の道具を必要とせずに、壁面１から突出した引掛具２に靴を逆さ向きに掛けて効率的に乾かすことができる。ここで、引掛具とは、例えば、釘、ねじ、フック等である。
【００２９】
図１から図３において、挿入孔１００の開口部１１０は、円形状であったが、四角形や三角等その他の形状であってもよい。開口部１１０は、複数の異なる高さを有することが望ましい。開口部１１０が複数の異なる高さを有することにより、太さが異なる引掛具２それぞれを、開口部１１０にぴったりとはまるようにすることができる。その結果、引掛具２から挿入孔付き靴１０を外れにくくすることができるからである。
【００３０】
図４に、開口部１１０が複数の異なる高さを有する場合の形状例を示す。図４（ａ）は異なる大きさの四角形を複数連結した形状であり、（ｂ）は異なる大きさの円形を複数連結した形状であり、（ｃ）は開口部１１０の高さが徐々に小さくなる三角形の形状である。なお、図４（ａ）、（ｂ）において、四角形のみ、円形のみとしているが、四角形と円形といったように異なる形状を組み合わせてもよい。また、開口部１１０を星やハート等の形状として、デザイン性を持たせてもよい。
【００３１】
図４に示すような開口部１１０を有する挿入孔１００の場合、筒状部１２０の断面は、円形形状や四角形形状であってもよく、開口部の形状に限られない。
【００３２】
図５は、挿入孔１００の筒状部１２０の内壁形状の一例を示す図である。図５（ａ）に示すように、筒状部１２０の内壁１３０が、引掛具２が挿入孔１００から抜け落ちることを防止する抜落防止弁１４０を備えてもよい。抜落防止弁１４０は、ゴムやエラストマといった弾性力を有する柔軟な部材であって、弾性的復元力によって引掛具２と筒状部１２０との隙間を塞ぐことにより、引掛具２の抜け落ちを防止する。
【００３３】
図５において、抜落防止弁１４０は、筒状部１２０の内壁１３０の上部に備えられているが、筒状部１２０の内壁に対向させて２つや４つといったように複数備えてもよい。また、抜落防止弁１４０を開口部１１０に備えてもよい。
【００３４】
図５（ｂ）に示すように、筒状部１２０の内壁１３０は、凹凸部１５０を有してもよい。凹凸部１５０に引掛具２の先端が入り込むことにより、引掛具２が挿入孔１００から抜け落ちることを防止することができる。図５において、凹凸部１５０は、内壁１３０の上部に設けられているが、内壁１３０上であればどこにもうけられてもよく、壁面全体にもうけてもよい。
【００３５】
凹凸部１５０の凹部は、溝を複数形成することで、また、略半球状や略直方体状といった凹みを複数形成することで実現することができる。複数形成される、溝、略半球状、および略直方体状は、異なる大きさであることが望ましい。太さが異なる引掛具２それぞれが、凹部に入り込むことができるようにするためである。また、凹部を、摩擦が大きい材質とすることで、引掛具２が挿入孔１００からより抜け落ちにくくすることができる。
【００３６】
以上説明したように、本実施形態によれば、ソール部が、外部から内部に延在する挿入孔を備えることにより、壁等から突出した引掛具に靴を逆さ向きに掛けて効率的に乾かすことができる。また、履き口を下方に掛けることができることにより、長時間、挿入孔付き靴を使用しない場合に靴内にごみ等が入り込むことを防ぐこともできる。
【００３７】
以上、この考案の実施形態につき、図面を参照して詳述してきたが、具体的な構成はこの実施形態に限られるものではなく、この考案の要旨を逸脱しない範囲の設計等も含まれる。
【符号の説明】
【００３８】
１０；挿入孔付き靴
２０；アッパー部
３０；ソール部
１００；挿入孔
１１０；開口部
１２０；筒状部
１３０；内壁
１４０；抜落防止弁
１５０；凹凸部
【図１】
0003193892.tif 000003
【図２】
0003193892.tif 000004
【図３】
0003193892.tif 000005
【図４】
0003193892.tif 000006
【図５】
0003193892.tif 000007